【手続補正書】
【提出日】平成25年7月24日(2013.7.24)
【手続補正１】
【補正対象書類名】明細書
【補正対象項目名】００６８
【補正方法】変更
【補正の内容】
【００６８】
家庭電化製品の例としては、以下に限定はされないが、洗濯機、乾燥機、冷蔵庫、空調および暖房装置が挙げられる。娯楽およびスポーツの例としては、以下に限定はされないが、インラインスケートの構成要素、野球用バット、ホッケー用スティック、スキーおよびスノーボードのビンディング、リュックサックの裏面およびフレーム、ならびに自転車のフレームが挙げられる。機械の構造用部品の例としては、例えば携帯用電子デバイス用、コンピュータ用の筐体などの電気／電子部品が挙げられる。
次に、本発明の好ましい態様を示す。
１．  ｉ）少なくとも一部が表面樹脂組成物で作製された表面を有し、かつ、マトリックス樹脂組成物を含浸させた、不織構造、織物、繊維の詰め物およびそれらの組合せからなる群から選択される繊維材料を含む第１の構成要素であって、前記表面樹脂組成物および前記マトリックス樹脂組成物が、ａ）１種以上のポリアミド樹脂と、ｂ）３つ以上のヒドロキシル基を有する１種以上の多価アルコールとを含むポリアミド組成物である第１の構成要素と、
ｉｉ）オーバーモールド樹脂組成物を含む第２の構成要素と
を含むオーバーモールドされた複合構造であって、
前記第２の構成要素が、前記第１の構成要素の表面の少なくとも一部にわたって前記第１の構成要素に接着されるオーバーモールドされた複合構造。
２．  前記オーバーモールド樹脂組成物が、１種以上のポリアミド樹脂で作製されるか、またはａ）１種以上のポリアミド樹脂と、ｂ）３つ以上のヒドロキシル基を有する１種以上の多価アルコールとを含むポリアミド組成物である、上記１に記載のオーバーモールドされた複合構造。
３．  前記１種以上の多価アルコールが、０．２５または約０．２５重量％〜１５または約１５重量％の量で独立して前記ポリアミド組成物中に存在し、前記重量パーセントが、前記ポリアミド組成物の総重量を基準にしている、上記１または２に記載のオーバーモールドされた複合構造。
４．  前記１種以上の多価アルコールが、０．５または約０．５重量％〜１０または約１０重量％の量で独立して存在し、前記重量パーセントが、前記ポリアミド組成物の総重量を基準にしている、上記３に記載のオーバーモールドされた複合構造。
５．  前記１種以上の多価アルコールが、独立して、ジペンタエリトリトール、トリペンタエリトリトール、ペンタエリトリトールおよびそれらの混合物からなる群から選択される、上記１〜４のいずれか一項に記載のオーバーモールドされた複合構造。
６．  前記１種以上のポリアミド樹脂が、独立して、完全脂肪族ポリアミド樹脂、半芳香族ポリアミド樹脂およびそれらの混合物からなる群から選択される、上記１〜５のいずれか一項に記載のオーバーモールドされた複合構造。
７．  前記完全脂肪族ポリアミド樹脂が、独立して、ＰＡ６；ＰＡ１１；ＰＡ１２；ＰＡ４，６；ＰＡ６，６；ＰＡ，１０；ＰＡ６，１２；ＰＡ１０，１０ならびにそれらのコポリマーおよびブレンドからなる群から選択される、上記６に記載のオーバーモールドされた複合構造。
８．  前記半芳香族ポリアミド樹脂が、独立して、ＰＡ６Ｔ；ＰＡ６Ｉ／６Ｔ；ＰＡ６，Ｔ／６，６、ＰＡＭＸＤ６；ＰＡ１０，１０；ＰＡ６Ｔ／ＤＴならびにそれらのコポリマーおよびブレンドからなる群から選択される、上記６または７に記載のオーバーモールドされた複合構造。
９．  自動車、トラック、民間航空機、航空宇宙、鉄道、家庭電化製品、コンピュータハードウェア、携帯用デバイス、娯楽およびスポーツのための構成要素、機械の構造用部品、建物の構造用部品、太陽光発電もしくは風力エネルギー設備の構造用部品または機械デバイスの構造用部品の形態にある、上記１〜８のいずれか一項に記載のオーバーモールドされた複合構造。
１０．  第１の構成要素上にオーバーモールド樹脂組成物を含む第２の構成要素をオーバーモールドする工程を含む、オーバーモールドされた複合構造を作製するための方法であって、  前記第１の構成要素が、繊維材料を含み、かつ、少なくとも一部が表面樹脂組成物で作製された表面を有し、
前記繊維材料が、不織構造、織物、繊維の詰め物およびそれらの組合せからなる群から選択され、前記繊維材料にマトリックス樹脂組成物が含浸されており、
前記表面樹脂組成物および前記マトリックス樹脂組成物が、ａ）１種以上のポリアミド樹脂と、ｂ）３つ以上のヒドロキシル基を有する１種以上の多価アルコールとを含むポリアミド組成物である方法。
１１．  前記オーバーモールド樹脂組成物が、１種以上のポリアミド樹脂で作製されるか、またはａ）１種以上のポリアミド樹脂と、ｂ）３つ以上のヒドロキシル基を有する１種以上の多価アルコールとを含むポリアミド組成物から選択される、上記１０に記載の方法。
１２．  前記１種以上の多価アルコールが、０．２５または約０．２５重量％〜１５または約１５重量％の量で独立して前記ポリアミド組成物中に存在し、前記重量パーセントが、前記ポリアミド組成物の総重量を基準にしている、上記１０または１１のいずれか一項に記載の方法。
１３．  前記１種以上の多価アルコールが、独立して、ジペンタエリトリトール、トリペンタエリトリトール、ペンタエリトリトールおよびそれらの混合物からなる群から選択される、上記１０〜１２のいずれか一項に記載の方法。
１４．  前記繊維材料に前記マトリックス樹脂組成物を含浸する工程をさらに含み、前記第１の構成要素の表面の少なくとも一部が、前記表面樹脂組成物で作製され、前記工程が前記オーバーモールドする工程の前に行われる、上記１０〜１３のいずれか一項に記載の方法。
１５．  前記第１の構成要素を成形する工程をさらに含み、前記成形する工程が、前記含浸する工程の後であるが前記オーバーモールドする工程の前に行われる、上記１４に記載の方法。
【手続補正２】
【補正対象書類名】特許請求の範囲
【補正対象項目名】全文
【補正方法】変更
【補正の内容】
【特許請求の範囲】
【請求項１】
ｉ）少なくとも一部が表面樹脂組成物で作製された表面を有し、かつ、マトリックス樹脂組成物を含浸させた、不織構造、織物、繊維の詰め物およびそれらの組合せからなる群から選択される繊維材料を含む第１の構成要素であって、前記表面樹脂組成物および前記マトリックス樹脂組成物が、ａ）１種以上のポリアミド樹脂と、ｂ）３つ以上のヒドロキシル基を有する１種以上の多価アルコールとを含むポリアミド組成物である第１の構成要素と、
ｉｉ）オーバーモールド樹脂組成物を含む第２の構成要素と
を含むオーバーモールドされた複合構造であって、
前記第２の構成要素が、前記第１の構成要素の表面の少なくとも一部にわたって前記第１の構成要素に接着されるオーバーモールドされた複合構造。
【請求項２】
前記１種以上の多価アルコールが、０．２５または約０．２５重量％〜１５または約１５重量％の量で独立して前記ポリアミド組成物中に存在し、前記重量パーセントが、前記ポリアミド組成物の総重量を基準にしている、請求項１に記載のオーバーモールドされた複合構造。
【請求項３】
第１の構成要素上にオーバーモールド樹脂組成物を含む第２の構成要素をオーバーモールドする工程を含む、オーバーモールドされた複合構造を作製するための方法であって、  前記第１の構成要素が、繊維材料を含み、かつ、少なくとも一部が表面樹脂組成物で作製された表面を有し、
前記繊維材料が、不織構造、織物、繊維の詰め物およびそれらの組合せからなる群から選択され、前記繊維材料にマトリックス樹脂組成物が含浸されており、
前記表面樹脂組成物および前記マトリックス樹脂組成物が、ａ）１種以上のポリアミド樹脂と、ｂ）３つ以上のヒドロキシル基を有する１種以上の多価アルコールとを含むポリアミド組成物である方法。